(57)【要約】【課題】  時間遅れが生じるチャンネルについて予約録画する場合にも対応可能な録画装置および録画方法を提供する。【解決手段】  録画開始時刻Ａ、録画終了時刻Ｂおよび録画チャンネルＣを内容とするタイマー録画が録画装置にセットされると（ステップ１０１）、録画チャンネルＣが衛星放送か否かが判別される（ステップ１０２）。衛星放送との判別がされたときは、入力された録画開始時刻Ａおよび録画終了時刻Ｂに遅延時間ａを加える（ステップ１０３）。そして、録画開始時刻Ａになったら録画装置は録画を開始する（ステップ１０４，１０５）。録画終了時刻Ｂになったら、録画を終了する（ステップ１０６，１０７）。【選択図】  図４
2006128741.tif 000002
【特許請求の範囲】
【請求項１】
録画の時間に関する事項と録画チャンネルに関する事項とを含む録画予約情報を受け付ける受付手段と、
前記受付手段に受け付けられた前記録画予約情報に基づいて録画する録画手段と、
前記受付手段に受け付けられた前記録画予約情報の中の前記録画チャンネルに関する事項から録画の開始を遅延すべきか否かを判別する判別手段と、
前記判別手段により録画の開始を遅延すべきと判別されたときに、前記録画手段による録画の開始を予め定められた時間分だけ遅延させる遅延手段と
を含む録画装置。
【請求項２】
前記遅延手段は、録画の開始が遅延される前記録画予約情報についての録画の終了を、前記予め定められた時間分と同じ時間分だけ遅延させることを特徴とする請求項１に記載の録画装置。
【請求項３】
前記録画手段により録画された内容の先頭部分の画像データをサムネイル処理する処理手段を更に含むことを特徴とする請求項１に記載の録画装置。
【請求項４】
衛星放送の録画予約が可能であり、入力された録画予約情報に基づいて衛星放送を録画する録画手段と、
衛星放送を録画するときに前記録画手段による録画の開始および終了を予め定められた時間分だけ遅延させる遅延手段と
を含む録画装置。
【請求項５】
前記録画手段に入力された録画予約情報から衛星放送を録画するものか否かを判別する判別手段を更に含むことを特徴とする請求項４に記載の録画装置。
【請求項６】
前記録画手段により録画された内容の先頭部分の画像データをサムネイル処理する処理手段を更に含むことを特徴とする請求項４に記載の録画装置。
【請求項７】
録画開始時刻、録画終了時刻および録画チャンネルを含む録画予約情報を受け付ける受付手段と、
前記受付手段に受け付けられた前記録画予約情報の前記録画開始時刻よりも早い時刻から、当該録画予約情報の前記録画終了時刻よりも遅い時刻にわたって、当該録画予約情報の前記録画チャンネルで放送される内容を録画する録画手段と、
前記録画手段により録画された画像データの中の、前記録画開始時刻に対応する再生開始位置および前記録画終了時刻に対応する再生終了位置を取得する取得手段と、
前記受付手段に受け付けられた前記録画予約情報の前記録画チャンネルから、当該録画予約情報の前記録画開始時刻を遅らせるべきか否かを判別する判別手段と
を含み、
前記取得手段は、前記判別手段により前記録画開始時刻を遅らせるべきと判断されたときに、予め定められた時間に対応する分だけ繰り下げた位置を前記再生開始位置とすることを特徴とする録画装置。
【請求項８】
前記取得手段は、前記判別手段により前記録画開始時刻を遅らせるべきと判断された前記録画予約情報について、前記予め定められた時間に対応する分だけ繰り下げた位置を前記再生終了位置とすることを特徴とする請求項７に記載の録画装置。
【請求項９】
前記取得手段により取得された再生開始位置の画像データをサムネイル処理する処理手段を更に含むことを特徴とする請求項７に記載の録画装置。
【請求項１０】
録画の時間に関する事項と録画チャンネルに関する事項とを含む録画予約情報を受け付ける受付ステップと、
前記受付ステップにより受け付けられた前記録画予約情報に基づいて録画する録画ステップと、
前記受付ステップに受け付けられた前記録画予約情報の中の前記録画チャンネルに関する事項から録画の開始を遅延すべきか否かを判別する判別ステップと、
前記判別ステップにより録画の開始を遅延すべきと判別されたときに、前記録画ステップによる録画の開始を予め定められた時間分だけ遅延させる遅延ステップと
を含む録画方法。
【請求項１１】
前記遅延ステップは、録画の開始が遅延される前記録画予約情報についての録画の終了を、前記予め定められた時間分だけ遅延させることを特徴とする請求項１０に記載の録画方法。
【請求項１２】
前記録画ステップにより録画された内容の先頭部分の画像データをサムネイル処理する処理ステップを更に含むことを特徴とする請求項１０に記載の録画方法。
【請求項１３】
録画開始時刻、録画終了時刻および録画チャンネルを含む録画予約情報を受け付ける受付ステップと、
前記受付ステップに受け付けられた前記録画予約情報の前記録画開始時刻よりも早い時刻から、当該録画予約情報の前記録画終了時刻よりも遅い時刻にわたって、当該録画予約情報の前記録画チャンネルで放送される内容を録画する録画ステップと、
前記録画ステップにより録画された画像データの中の、前記録画開始時刻に対応する再生開始位置および前記録画終了時刻に対応する再生終了位置を取得する取得ステップと、
前記受付ステップに受け付けられた前記録画予約情報の前記録画チャンネルから、当該録画予約情報の前記録画開始時刻を遅らせるべきか否かを判別する判別ステップと
を含み、
前記取得ステップは、前記判別ステップにより前記録画開始時刻を遅らせるべきと判断されたときに、予め定められた時間に対応する分だけ繰り下げた位置を前記再生開始位置とすることを特徴とする録画方法。
【請求項１４】
前記取得ステップは、前記判別ステップにより前記録画開始時刻を遅らせるべきと判断されたときに、前記予め定められた時間に対応する分だけ繰り下げた位置を前記再生終了位置とすることを特徴とする請求項１３に記載の録画方法。
【請求項１５】
前記取得ステップにより取得された再生開始位置の画像データをサムネイル処理する処理ステップを更に含むことを特徴とする請求項１３に記載の録画方法。
【発明の詳細な説明】
【技術分野】
【０００１】
本発明は、映像を録画可能な録画装置等に係り、より詳しくは、入力された録画予約に基づいて録画する録画装置および録画方法に関するものである。
【背景技術】
【０００２】
従来、ＤＶＤ(Digital Versatile Disk)またはＨＤＤ(Hard Disk Drive)等の記録媒体を備えて映像を記録再生できる記録再生装置がある。この記録再生装置は、例えば放送局から配信されるテレビ放送信号を受信してテレビ放送信号に含まれるコンテンツ（テレビ番組の映像）をＤＶＤまたはＨＤＤに録画することができる。また、その録画したコンテンツを再生してその映像を表示装置に出力させることができる。
このような記録再生装置は、放送中の番組を録画するリアルタイム録画のほかに、今後放送される予定の番組を録画するタイマー録画（予約録画）も行うことができる。リアルタイム録画の場合は、任意のタイミングで録画開始が指示される。また、タイマー録画の場合は、録画開始時刻と録画終了時刻と録画チャンネルとが入力され、入力された内容に従って、記録再生装置は、チューナを設定し、録画開始時刻になるのを待ち、録画開始時刻になると、録画を開始する。そのため、記録再生装置には通常、計時回路が内蔵されている。
【０００３】
このようなタイマー録画の場合には、テレビ番組の録画が時間ちょうどに開始されるのが好ましい。そして、従来では、時計機能の精度を上げるために、水晶発振子を用いていた。しかし、水晶発振子を用いても時間の経過とともに正確な時刻からずれて、例えば、月平均１０秒前後の誤差が生じてしまう。
【０００４】
記録再生装置の時間を頻繁に合わせることは煩雑なことから、最近では、ジャストクロック機能が開発されている。このジャストクロック機能とは、特定の放送局（例えばＮＨＫ局）から発信される放送電波から基準となる時刻（例えば午後０時と午後７時）を検出し、その検出信号に基づいて計時回路を自動的に修正する機構をいう。
このジャストクロック機能を備えた記録再生装置では、自動的に誤差が修正されるので、わざわざ時間合わせを行う必要性がない。したがって、タイマー予約された番組を正確に先頭部分から録画することが可能になる。
【０００５】
また、記録再生装置には、サムネイル処理回路を備えているものがある（例えば、特許文献１参照）。このサムネイル処理回路は、ＨＤＤ等に録画したコンテンツの先頭部分等の画像データとを取得して縮小ズーム処理を施してサムネイルデータを生成する。生成されたサムネイルデータは、ＪＰＥＧ（Joint Photographic Expert Group）方式に従う圧縮処理が施され、一時記憶部に記憶される。サムネイル処理される画像データとしては、コンテンツの先頭部分の画像のほかに、例えば画面が切り換わる場面ごとの画像データ、または、ＢＧＭが変わる場面ごとの画像データ等を挙げることができる。
画像再生装置の一時記憶部に記憶されたサムネイル画像を表示装置に表示させることにより、コンテンツの内容を容易に確認することができ、また、編集作業を容易に行うことができる。また、編集された映像は、例えばＨＤＤからＤＶＤへ容易にコピーすることができ、古いテープメディアから最新のＤＶＤデジタルメディアへの一連の保存作業を容易に実現できる。
【０００６】
【特許文献１】特開２００４−２２２２６８号公報(第９〜１０頁、図８)
【発明の開示】
【発明が解決しようとする課題】
【０００７】
ここで、近年では、衛星放送を見ることができるチューナが普及している。このため、タイマー予約の録画チャンネルに衛星放送のチャンネルを指定することができる記録再生装置も開発されている。
この衛星放送とは、赤道上空３万６０００キロメートルに浮かべた静止衛星から送る電波により、各種番組などを見ることができる放送システムをいう。その基本的な仕組みは、地上の放送局から大型の送出設備によって電波を送り、その電波を静止衛星で中継して地上の各戸に照射するものである。静止衛星としては、ＢＳと呼ばれる放送衛星およびＣＳと呼ばれる通信衛星がある。
【０００８】
このような衛星放送は、静止衛星を経由する電波伝送を行うため、地上波放送（地上放送）に比べて時間遅れが生じるため、不都合が生じる。すなわち、上述したジャストクロック機能によって時間合わせが自動で行われることから、地上波放送の場合には、録画予約した番組の開始とともに録画が開始され、番組の先頭部分の画像データがサムネイル画像として作成される。その一方で、衛星放送の場合には、電波伝送の時間遅れにより、ジャストクロック機能を有しているにもかかわらず、録画の開始が番組の開始に一致しない。このため、衛星放送を予約録画しても、番組の先頭部分が画像データがサムネイル画像として作成されない。
このように、地上波放送の番組を予約録画する場合には、所望のサムネイル画像が作成されるにもかかわらず、衛星放送の場合には、所望のサムネイル画像が作成されないという不都合がある。
【０００９】
本発明は、以上のような技術的課題を解決するためになされたものであり、その目的とするところは、時間遅れが生じるチャンネルについて予約録画する場合にも対応可能な録画装置および録画方法を提供することにある。
【課題を解決するための手段】
【００１０】
かかる目的のもと、本発明が適用される録画装置は、録画の時間に関する事項と録画チャンネルに関する事項とを含む録画予約情報が受付手段に受け付けられ、受付手段に受け付けられた録画予約情報に基づいて録画手段により録画される。また、受付手段に受け付けられた録画予約情報の中の録画チャンネルに関する事項から録画の開始を遅延すべきか否かを判別手段により判別される。そして、判別手段により録画の開始を遅延すべきと判別されたときに、録画手段による録画の開始を予め定められた時間分だけ遅延手段により遅延されるように構成されている。
録画の開始が遅延される録画予約情報についての録画の終了を、予め定められた時間分と同じ時間分だけ遅延手段により遅延されるように構成することもできる。
録画手段により録画された内容の先頭部分の画像データを処理手段によりサムネイル処理されるように構成することもできる。
【００１１】
他の観点から捉えると、本発明が適用される録画装置は、衛星放送の録画予約が可能であり、入力された録画予約情報に基づいて衛星放送が録画手段により録画され、衛星放送を録画するときに録画手段による録画の開始および終了を予め定められた時間分だけ遅延手段により遅延されるように構成されている。
【００１２】
更に本発明を別の観点から捉えると、本発明が適用される録画装置は、録画開始時刻、録画終了時刻および録画チャンネルを含む録画予約情報が受付手段により受け付けられ、受付手段に受け付けられた録画予約情報の録画開始時刻よりも早い時刻から、録画予約情報の録画終了時刻よりも遅い時刻にわたって、録画予約情報の録画チャンネルで放送される内容が録画手段により録画される。また、録画手段により録画された画像データの中の、録画開始時刻に対応する再生開始位置および録画終了時刻に対応する再生終了位置が取得手段により取得される。また、受付手段に受け付けられた録画予約情報の録画チャンネルから、録画予約情報の録画開始時刻を遅らせるべきか否かが判別手段により判別される。そして、取得手段は、判別手段により録画開始時刻を遅らせるべきと判断されたときに、予め定められた時間に対応する分だけ繰り下げた位置を再生開始位置とするものである。また、判別手段により録画開始時刻を遅らせるべきと判断された録画予約情報について、予め定められた時間に対応する分だけ繰り下げた位置を再生終了位置とするものである。
【００１３】
更に本発明を別の観点から捉えると、本発明が適用される録画方法は、録画の時間に関する事項と録画チャンネルに関する事項とを含む録画予約情報を受付ステップで受け付け、受付ステップにより受け付けられた録画予約情報に基づいて録画ステップで録画する。また、受付ステップに受け付けられた録画予約情報の中の録画チャンネルに関する事項から録画の開始を遅延すべきか否かを判別ステップで判別する。判別ステップにより録画の開始を遅延すべきと判別されたときに、録画ステップによる録画の開始を予め定められた時間分だけ遅延ステップで遅延させる。
【００１４】
更に本発明を別の観点から捉えると、本発明が適用される録画方法は、録画開始時刻、録画終了時刻および録画チャンネルを含む録画予約情報を受付ステップで受け付ける。また、受付ステップに受け付けられた録画予約情報の録画開始時刻よりも早い時刻から、録画予約情報の録画終了時刻よりも遅い時刻にわたって、録画予約情報の録画チャンネルで放送される内容を録画ステップで録画する。また、録画ステップにより録画された画像データの中の、録画開始時刻に対応する再生開始位置および録画終了時刻に対応する再生終了位置を取得ステップで取得する。また、受付ステップに受け付けられた録画予約情報の録画チャンネルから、録画予約情報の録画開始時刻を遅らせるべきか否かを判別ステップで判別する。そして、取得ステップでは、判別ステップにより録画開始時刻を遅らせるべきと判断されたときに、予め定められた時間に対応する分だけ繰り下げた位置を再生開始位置とする。
【発明の効果】
【００１５】
本発明によれば、時間遅れが生じるチャンネルについて予約録画する場合にも対応することが可能となる。
【発明を実施するための最良の形態】
【００１６】
以下、添付図面を参照して、本発明の実施の形態について詳細に説明する。
図１は、本実施の形態に係る録画装置１０の構成を示すブロック図である。
図１に示すように、録画装置１０は、リモコンから送出された操作信号を受信するリモコン受信部１１と、テレビ放送を受信するチューナ（受信手段）１２とを備えている。また、録画装置１０は、映像を映し出すための映像信号を生成する映像信号生成部１３と、映像を記録する映像記録部１４と、ＯＳＤ(on-screen display)処理を行うＯＳＤ処理部１５とを備えている。また、録画装置１０は、一度書き込まれた情報を読み出すためのＲＯＭ(Read Only Memory)１６と、各種の情報やデータを一時的に記憶する一時記憶部１７と、これら各部を制御する制御部１８とを備えている。
すなわち、録画装置１０は、放送局から配信されるテレビ放送信号を、本装置１０に接続される図示しないアンテナを介してチューナ１２で受信し、テレビ放送信号に含まれるコンテンツ（テレビ番組の映像）を映像記録部１４に録画する装置である。また、録画装置１０は、映像記録部１４に録画したコンテンツを再生してその映像を本装置１０に接続される表示装置１９に表示させることができる。
チューナ１２は、衛星放送チューナ１２ａと地上放送チューナ１２ｂとを備えている。
【００１７】
録画装置１０は、ユーザが操作する図示しないリモコンから送出された操作信号をリモコン受信部１１を介して受信する。リモコン受信部１１が操作信号を受信すると、録画装置１０は、受信するテレビ放送の選局のほか、コンテンツの録画／再生やコンテンツの自動削除防止設定等の映像記録部１４に対する各種動作を行う。
更に説明すると、図示しないリモコンは、これら各種動作を指示するための図示しない各種操作キーを備えており、各種操作キーを操作すると、その操作に応じた操作信号を赤外線信号で送出する。そして、図示しないリモコンからの信号をリモコン受信部１１が受信すると、図示しないリモコンの操作に対応する信号を制御部１８へ出力する。チューナ１２は、制御部１８による制御のもと、その受信周波数を図示しないリモコンで選局指示されたチャンネルに対応する周波数に同調させることにより、選局指示されたチャンネルのテレビ放送信号を図示しないアンテナを介して受信する。映像信号生成部１３は、チューナ１２の衛星放送チューナ１２ａまたは地上放送チューナ１２ｂで受信したテレビ放送信号を復調し、本装置に接続される表示装置１９に映像を映し出すための映像信号を生成する。映像信号生成部１３にて生成された映像信号は、ＯＳＤ処理部１５を介して表示装置１９に出力される。これにより、テレビ放送信号に含まれるコンテンツが表示装置１９に表示される。
制御部１８は、ＲＯＭ１６と一時記憶部１７に接続され、必要に応じてデータ（情報）の受け渡しを行う。
【００１８】
映像記録部１４は、制御部１８による制御のもと、映像信号生成部１３にて生成された映像信号を記録することによりテレビ放送信号に含まれるテレビ番組のコンテンツを録画し、また、記録された映像信号が読出される。映像記録部１４から読出された映像信号は、ＯＳＤ処理部１５を介して表示装置１９に出力される。これにより、録画されていたコンテンツが表示装置１９に再生表示される。また、映像記録部１４は、制御部１８による制御のもと、録画したコンテンツのコンテンツ名、録画日時、再生回数、自動削除防止設定の設定内容をコンテンツ管理情報として各コンテンツ毎に対応付けて記録する。
【００１９】
ＯＳＤ処理部１５は、映像信号に各種オンスクリーン表示信号を重畳する。これにより、オンスクリーン表示信号による画像が重ねられた映像が表示装置１９に表示される。ＲＯＭ１６は、制御部１８の動作プログラムを格納している。
制御部１８は、リモコン受信部１１が受信した録画操作に応じて、映像記録部１４へのコンテンツの録画動作を制御する。また、制御部１８は、コンテンツの録画開始にあたって、その録画日時を録画するコンテンツに対応付けて映像記録部１４に記録する制御を行い、コンテンツの録画日時を管理する。また、制御部１８は、リモコン受信部１１が受信した再生操作に応じて、映像記録部１４からのコンテンツの再生動作を制御する。
【００２０】
次に、映像記録部１４について図２を用いて説明する。
図２は、図１の映像記録部１４の構成を示すブロック図である。
図２に示すように、映像記録部１４は、記録媒体としてのＨＤＤ２１と、ＨＤＤ２１に対して読取りと書込みを行う読取り／書込みヘッド２２と、これらヘッド２２からなるヘッド群２３とを備えている。また、映像記録部１４は、前置増幅器／増幅器２４と、ヘッド群２３の各読取り／書込みヘッド２２を選択するヘッド群選択回路２５と、読取りチャンネル２６と、所定のタイミング信号を発生するサーボタイミング信号発生器２７とを備えている。また、映像記録部１４は、トラック追従ＤＡＣ（デジタル／アナログ変換）３１とシークＤＡＣ３２とを備えている。トラック追従ＤＡＣ３１とシークＤＡＣ３２は、それぞれ演算増幅器３１ａ，３２ａと、コンデンサ３１ｂ，３２ｂとを有する。
また、映像記録部１４は、モードの切り換えを円滑にするためにサーボ補償を行うアナログサーボ補償器３３と、トラック追従ＤＡＣ３１またはシークＤＡＣ３２を切り換えるマルチプレクサ３４とを備えている。また、映像記録部１４は、ボイスコイルモータ３６に給電する相互コンダクタンス増幅器３５と、ボイスコイルモータ（ＶＣＭ）３６とを備えている。
【００２１】
映像記録部１４は、従来のハードディスクドライブを用いることができるが、その作用について簡単に説明すると、シークモードとトラック追従モードという２つの独立動作モードによって、読取り／書込みヘッド２２を位置決めする。そして、トラック追従ＤＡＣ３１を備えている一方のチャンネルをトラック追従モードに適用し、シークＤＡＣ３２を備えている他方のチャンネルをシークモードに適用する。
【００２２】
なお、映像記録部１４の記録媒体としてＨＤＤ２１を用いているが、その他の記録媒体、例えばＤＶＤを用いることも考えられる。この場合のＤＶＤは、周知慣用技術により構成したものを用いることができる。また、実施の形態として録画装置１０を説明しているが、テレビ録画機能を有するパソコンにも適用することができる。
【００２３】
次に、制御部１８について図３を用いて説明する。
図３は、制御部１８の一部の構成を示すブロック図である。
図３に示すように、制御部１８は、受付部４１と録画制御部４２と判別部４３と時間管理部４４とを備えている。受付部４１は、リモコン受信部１１（図１参照）で受信した操作信号に対応する信号を受け付ける。例えば、受付部４１は、録画開始時刻、録画終了時刻および録画チャンネルからなる録画予約情報としての信号を受け付ける。そして、録画制御部４２は、受付部４１が受け付けた録画予約情報の入力を受ける。判別部４３は、入力された録画予約情報の録画チャンネルが衛星放送か地上放送かを判別する。この判別は、一時記憶部１７（図１参照）に予め記憶されたデータから行うことができる。判別部４３は、判別結果を録画制御部４２に出力する。
【００２４】
また、時間管理部４４は、タイマー機能を有していて、このタイマー機能によって録画予約情報の録画開始時刻および録画終了時刻を管理する。また、時間管理部４４は、判別部４３により録画予約情報の録画チャンネルが衛星放送であることが判別されたときには、録画予約情報の録画開始時刻および録画終了時刻を、予め定められた時間分だけ遅延させる。
【００２５】
次に、録画予約がなされたときの処理手順について図４を用いて説明する。
図４は、録画予約がなされたときの処理手順を示すフローチャートである。
図４に示すように、タイマー録画（予約録画）が録画装置１０（図１参照）にセットされる（ステップ１０１）。すなわち、録画開始時刻Ａ、録画終了時刻Ｂおよび録画チャンネルＣがリモコンに入力される。なお、録画開始時刻Ａには、録画を開始する日も含むものとする。また、録画終了時刻Ｂにも、録画を終了する日も含ませることができる。また、録画終了時刻Ｂの代わりに、録画時間をリモコンに入力するようにしてもよい。録画時間が入力されるときには、簡単な演算により、録画終了時刻Ｂを求めることができる。
【００２６】
これらの録画開始時刻Ａ、録画終了時刻Ｂおよび録画チャンネルＣは、録画予約情報としてリモコンからリモコン受信部１１（図１参照）を通じて制御部１８（図１参照）に入力される。制御部１８（図１参照）では、録画予約情報が受付部４１（図３参照）を介して録画制御部４２（図３参照）へと送られる。
なお、録画予約情報の入力として、例えばＧコードを用いた入力も考えられる。ここにいうＧコードとは、元来予約録画する場合に必要となる日付、録画チャンネル、録画開始時刻、番組の長さの４つの要素（録画の４要素）を所定の圧縮コーディング技術により、最大８桁の数字に置き換えたものである。
【００２７】
録画制御部４２（図３参照）は、録画予約情報の録画チャンネルＣが衛星放送か否かを判別部４３（図３参照）に判別させる（ステップ１０２）。この判別は、チャンネルごとに衛星放送か地上波放送かの区別を予め一時記憶部１７（図１参照）にデータとして記憶しておくことで、録画制御部４２（図３参照）は、そのデータに基づいて判別することができる。
ここで、この判別を行うのは、録画チャンネルＣが衛星放送であれば、録画開始時刻Ａおよび録画終了時刻Ｂを遅延させる必要がある一方で、衛星放送以外の地上波放送であれば、録画開始時刻Ａおよび録画終了時刻Ｂを遅延させることなく、その時刻のままで録画を開始終了すればよいからである。さらに詳述すると、衛星放送は、地上約３６０００ｋｍに位置する静止衛星を経由して電波伝送を行うため、地上波放送に比べて時間遅れが生じるために、衛星放送を予約録画する際には、遅延（補正）が必要になる。
【００２８】
判別部４３（図３参照）により録画チャンネルＣが衛星放送であると判別されたときには、その旨が録画制御部４２（図３参照）に返される。それを受けた録画制御部４２（図３参照）は、時間管理部４４（図３参照）に遅延を指示する。すなわち、時間管理部４４（図３参照）は、入力された録画開始時刻Ａと録画終了時刻Ｂを遅延させる（ステップ１０３）。具体的には、遅延時間ａを録画開始時刻Ａおよび録画終了時刻Ｂに加える。数式で示すと、以下のようになる。
録画開始時刻Ａ＝録画開始時刻Ａ＋遅延時間ａ
録画終了時刻Ｂ＝録画終了時刻Ｂ＋遅延時間ａ
このように、録画開始時刻Ａと録画終了時刻Ｂのいずれにも、遅延時間ａという同じ値を加算する。このため、録画開始時刻から録画終了時刻までの録画時間は、変わらない。
遅延時間ａとしては、０．２５秒の値を挙げることができる。衛星放送に用いられる静止衛星が地上約３６０００ｋｍに位置するときには、その２倍の距離を伝送する時間が、約２４０〜２５０ｍｓ（ミリ秒）となる。なお、日本国内でも一律に同じ値を採用することができる。衛星放送の電波伝送距離に比べれば日本国内の最北端と最南端との伝送時間の差はほとんどなく、したがって実用上問題がないと考えられるからである。
このように一律な値を採用することで、使用地域を予め録画装置１０（図１参照）に設定しておく必要がなく、ユーザの負担増を回避できる。また、その制御も簡易になり、追加コストを抑制することができる。
【００２９】
録画チャンネルＣが地上波放送のとき、または、録画チャンネルＣが衛星放送で上述した遅延処理がなされたときには、次のステップに進む。すなわち、録画開始時刻Ａになったか否かが時間管理部４４（図３参照）により判断される（ステップ１０４）。言い換えると、録画開始時刻Ａになるまで録画装置１０は待機する。
当然ながら、録画チャンネルＣが衛星放送のときは、入力された録画開始時刻ではなく、遅延時間ａが加算された録画開始時刻となる。また、録画終了時刻も、遅延時間ａが加算された録画終了時刻となる。
そして、時間管理部４４（図３参照）により録画開始時刻Ａになったと判断されたときには、録画制御部４２により録画の開始が映像記録部１４（図１参照）に指示される（ステップ１０５）。すなわち、映像記録部１４（図１参照）において、ＨＤＤ２１（図２参照）に録画チャンネルＣで放送されている番組が録画される。
【００３０】
録画が開始された後は、録画終了時刻Ｂになったか否かが時間管理部４４（図３参照）により判断される（ステップ１０６）。時間管理部４４（図３参照）により録画終了時刻Ｂになったと判断されたときには、録画制御部４２により録画の終了が映像記録部１４（図１参照）に指示される（ステップ１０７）。
なお、録画制御部４２による録画開始の指示や録画終了の指示は、ある時間例えば５秒前に行うようにすることも考えられる。
【００３１】
次に、本実施の形態の録画装置により予約録画した場合について図５を用いて説明する。
図５は、衛星放送の送信タイミング、受信タイミングおよび録画タイミングの各関係を示すグラフであり、横軸は時間軸である。図５における（ａ）は、衛星放送の放送局からの送信タイミングを示し、（ｂ）はその衛星放送の一般家庭での受信タイミングを示したものである。また、（ｃ）および（ｄ）は、一般家庭で受信した衛星放送の番組を録画する場合の録画タイミングを示したものである。（ｃ）は従来の場合であり、（ｄ）は本実施の形態の場合である。
【００３２】
図５の（ａ）および（ｂ）に示すように、送信タイミングと受信タイミングとは、所定の遅延時間ａの差が生じる。すなわち、番組イ，番組ロ，番組ハのいずれにも、その始まりと終わりに同じ時間だけずれが生じている。より具体的には、番組ロの始まり部分は時刻αに送信されているが、時刻βに受信されている。同様に、番組ロの終わり部分は時刻γに送信されているが、時刻δに受信されている。これらをまとめると、
遅延時間ａ＝時刻β−時刻α＝時刻δ−時刻γ
になる。
なお、遅延が生じる理由は既に説明したように、静止衛星との電波伝送によるものである。
【００３３】
従来の場合には、図５の（ｃ）に示すように、録画タイミングが送信タイミング（図５の（ａ）参照）と同じになるため、遅延時間ａの分だけ番組の始まりと終わりがずれてしまう。すなわち、時刻αで録画が開始され、時刻γで録画が終了する。そのため、録画の対象になっていない記録対象外の番組イの終わりが録画されてしまう一方で、録画の対象になっている記録対象の番組ロの終わりが録画されないという結果になる。
そこで、本実施の形態の場合では、図５の（ｄ）に示すように、遅延時間ａを考慮して録画開始を時刻βにし、録画終了を時刻δにすることで、録画タイミングを受信タイミング（図５の（ｂ）参照）に合わせている。すなわち、番組ロの始まりと共に録画が開始し、番組ロの終わりと共に録画が終了する。このため、ユーザが所望するどおりに録画することができる。
【００３４】
以上、衛星放送の場合を説明したが、地上波放送の場合には遅延時間ａがなく、遅延の影響を考慮する必要はない。このため、制御部１８（図１参照）の判別部４３（図３参照）により衛星放送か地上波放送かが判別されることで、ユーザは、地上波放送と衛星放送を意識せずに録画予約をすればよい。
【００３５】
次に、他の実施の形態について図６、図７および図８を用いて説明する。
図６は、予約録画の開始に伴う処理手順を示すフローチャートであり、図７は、予約録画の終了に伴う処理手順を示すフローチャートであり、図８は、図６および図７に示す処理手順により予約録画した場合を説明するグラフである。図８における（ａ）は、衛星放送の放送局からの送信タイミングを示し、（ｂ）はその衛星放送の一般家庭での受信タイミングを示したものである。また、（ｃ）は、一般家庭で受信した衛星放送の番組を録画する場合の録画タイミングを示したものである。
【００３６】
ここで、図６および図７に示す処理手順は、図８に示すように、録画開始時刻Ａよりも前から録画を開始し、録画終了時刻Ｂよりも後に録画を終了するものである。そして、録画した映像における再生開始ポイントと再生終了ポイントを演算し記憶するものである。これにより、録画した映像を再生する際には、再生開始ポイントから開始し、再生終了ポイントで再生を終了する。
【００３７】
まず、予約録画の開始に伴う処理手順を説明する。
図６に示すように、タイマー録画（予約録画）が録画装置１０（図１参照）にセットされる（ステップ２０１）。すなわち、録画開始時刻Ａ、録画終了時刻Ｂおよび録画チャンネルＣが録画予約情報として入力される。なお、このステップ２０１は、上述した図４のステップ１０１と同様であるので、詳細は省略する。
その後、録画開始時刻Ａよりも所定時間前の時刻になったか否かが時間管理部４４（図３参照）により判断される（ステップ２０２）。この所定時間として、例えば５秒とすることができる。すなわち、録画開始時刻Ａよりも５秒前から録画チャンネルＣの放送番組の録画を開始する（ステップ２０３）。
【００３８】
そして、録画チャンネルＣが衛星放送か否かが、判別部４３（図３参照）により判別される（ステップ２０４）。判別部４３（図３参照）により録画チャンネルＣが衛星放送であると判別されたときには、その旨が録画制御部４２（図３参照）に返される。それを受けた録画制御部４２（図３参照）は、録画開始時刻Ａに遅延時間ａを加える演算を行う（ステップ２０５）。また、判別部４３（図３参照）により録画チャンネルＣが衛星放送ではなく地上波放送であると判別されたときには、その旨が録画制御部４２（図３参照）に返される。この場合には、録画制御部４２（図３参照）は、録画開始時刻Ａは演算することなく次のステップに進む。
録画チャンネルＣが地上波放送と判別された後、または、録画チャンネルＣが衛星放送と判別されて上述した遅延処理がなされた後に、再生開始ポイントを演算し（ステップ２０６）、演算した再生開始ポイントを記憶する（ステップ２０７）。すなわち、録画制御部４２（図３参照）は、録画された映像（画像データ）において、録画開始時刻Ａに対応する再生開始ポイントを演算し、それを一時記憶部１７（図１参照）に記憶させる。
【００３９】
予約録画の開始に伴う処理手順は、上述したように行われる。そして、予約録画の終了に伴う処理手順は、以下に述べるように行われる。
図７に示すように、録画終了時刻Ｂよりも所定時間後の時刻になったか否かが時間管理部４４（図３参照）により判断される（ステップ２５１）。この所定時間としては、例えば５秒とすることができる。すなわち、録画開始時刻Ｂよりも５秒後に録画チャンネルＣの放送番組の録画が終了する（ステップ２５２）。
その後、録画チャンネルＣが衛星放送か否かが、判別部４３（図３参照）により判別される（ステップ２５３）。録画チャンネルＣが衛星放送であると判別されたときには、録画制御部４２（図３参照）は、録画終了時刻Ｂに遅延時間ａを加える演算を行う（ステップ２５４）。
録画チャンネルＣが地上波放送と判別された後、または、録画チャンネルＣが衛星放送と判別されて上述した遅延処理がなされた後に、再生終了ポイントを演算し（ステップ２５５）、演算した再生終了ポイントを記憶する（ステップ２５６）。すなわち、録画制御部４２（図３参照）は、録画された映像（画像データ）において、録画終了時刻Ｂに対応する再生終了ポイントを演算し、それを一時記憶部１７（図１参照）に記憶させる。
【００４０】
ここで、図７に示す予約録画の終了に伴う処理手順において、録画チャンネルＣが衛星放送か否かを判断する代わりに、図６に示す予約録画の開始伴う処理手順において、録画チャンネルＣが衛星放送か否かを一時記憶部１７（図１参照）に記憶しておき、それを読み出して判断することも考えられる。
また、録画チャンネルＣが衛星放送であると判別されたときに録画終了時刻Ｂに遅延時間ａを加える演算は、予約録画の開始に伴う処理手順で行い、その演算結果を一時記憶部１７（図１参照）に記憶しておき、録画が終了したら、直ちにそれを読み出して再生終了ポイントの演算を行うことも考えられる。
【００４１】
以上、２つの実施の形態について説明したが、本発明はこれらに限定されるものではない。すなわち、上述した実施の形態は、衛星放送と地上波放送とを判別し、衛星放送のときには、遅延時間を考慮するものであるが、デジタル放送とアナログ放送とを判別するように構成することも考えられる。その場合には、デジタル放送では、データを圧縮して放送局から送信され、受信側では、それを元に戻してテレビに表示されるため、遅延時間が生じる。その一方で、アナログ放送では、そのような遅延時間が生じない。このように、上述した実施の形態では、遅延が生じる場合と生じない場合とがある場合に有効となるものである。すなわち、遅延が生じる場合に録画に際して遅延させる一方で、遅延が生じない場合には録画に際して遅延させないように制御することで、対応している。そして、遅延させるときには、一律な遅延時間とし、その制御を簡単なものとしている。
【図面の簡単な説明】
【００４２】
【図１】本実施の形態に係る録画装置の構成を示すブロック図である。
【図２】映像記録部の構成を示すブロック図である。
【図３】制御部の一部の構成を示すブロック図である。
【図４】録画予約がなされたときの処理手順を示すフローチャートである。
【図５】衛星放送の送信タイミング、受信タイミングおよび録画タイミングの各関係を示すグラフであり、横軸は時間である。
【図６】予約録画の開始に伴う処理手順を示すフローチャートである。
【図７】予約録画の終了に伴う処理手順を示すフローチャートである。
【図８】図６および図７に示す処理手順により予約録画した場合を説明するグラフであり、横軸は時間である。
【符号の説明】
【００４３】
１４…映像記録部、１８…制御部、４１…受付部、４２…録画制御部、４３…判別部、４４…時間管理部
【図１】
2006128741.tif 000003
【図２】
2006128741.tif 000004
【図３】
2006128741.tif 000005
【図４】
2006128741.tif 000006
【図５】
2006128741.tif 000007
【図６】
2006128741.tif 000008
【図７】
2006128741.tif 000009
【図８】
2006128741.tif 000010